(57)【要約】【課題】  棚板の高さを容易に調節することができる棚体を提供する。【解決手段】  高さ方向に延びる複数の支柱２と、これら支柱２に取り付けられる棚板３、４とを有する棚体であって、前記各支柱２が、それぞれ高さ方向に２つに分割された上部支柱２１と下部支柱２２とからなり、これら上部支柱２１と下部支柱２２とを、下部支柱２２に対して上部支柱２１の回転により上部支柱２１が上下方向に移動可能に係合する連結機構５で連結し、前記上部支柱２１に、当該上部支柱２１が回転可能に前記棚板３、４を取り付け、前記複数の上部支柱２１のうちの１つの上部支柱２１の回転により残りの上部支柱２１が連動して回転し、前記複数の上部支柱２１の全部が上方又は下方の同一方向に移動する連動機構６を設けたことにより、前記課題を解決した。【選択図】        図２
2007068838.tif 000002
【特許請求の範囲】
【請求項１】
高さ方向に延びる複数の支柱と、これら支柱に取り付けられる棚板とを有する棚体であって、前記各支柱が、それぞれ高さ方向に２つに分割された上部支柱と下部支柱とからなり、これら上部支柱と下部支柱とを、下部支柱に対して上部支柱の回転により上部支柱が上下方向に移動可能に係合する連結機構で連結し、前記上部支柱に、当該上部支柱が回転可能に前記棚板を取り付け、前記複数の上部支柱のうちの１つの上部支柱の回転により残りの上部支柱が連動して回転し、前記複数の上部支柱の全部が上方又は下方の同一方向に移動する連動機構を設けたことを特徴とする、棚体。
【請求項２】
前記連動機構が、前記各上部支柱にそれぞれ設けられたチェーンスプロケットと、これらチェーンスプロケットに掛け渡されたチェーンとで構成されていることを特徴とする、請求項１に記載の棚体。
【請求項３】
前記複数の上部支柱のうちの１つの上部支柱を正逆方向に自動的に回転させる回転駆動手段を設けたことを特徴とする、請求項１又は２に記載の棚体。
【請求項４】
前記支柱が４本設けられ、前記棚板が矩形状に形成され、この棚板の四隅に前記支柱がそれぞれ取り付けられていることを特徴とする、請求項１〜３のいずれか１項に記載の棚体。
【発明の詳細な説明】
【技術分野】
【０００１】
本発明は、棚板の高さを容易に調節することができる棚体に関するものである。
【背景技術】
【０００２】
ラックや収納棚等の棚体は、物品を収納するもので、部屋の隅に置いたり、押入れの中に入れたりして使用されている。この棚体の中には、棚板の高さを調節することができるものが知られている（特許文献１参照。）。
【特許文献１】実用新案登録第３１０５２７３号公報
【発明の開示】
【発明が解決しようとする課題】
【０００３】
この特許文献１に記載されている棚体は、対向する２枚の背板にダボ穴を同じ高さに各々２箇所（合計４箇所）埋め込み、これら４つのダボ穴に金属ダボからなる支持部材を挿入して取り付け、これら支持部材上に棚板を載置してなるものである。同じ高さにある４つのダボ穴（これら４つのダボ穴をダボ穴群ということがある。）は、２枚の背板の高さ方向に所定の間隔をおいて複数設けられており、支持部材を挿入して取り付けるダボ穴群を変えることにより、棚板の高さを調節することができる。しかし、棚板の高さを調節するには、支持部材上に載置した棚板を支持部材上から取り外し、４つの支持部材をダボ穴から取り外してから所望の高さのダボ穴群の４つのダボ穴にそれぞれ挿入して取り付けるので、棚板の高さ調節作業が面倒である。また、支持部材を挿入して取り付けるダボ穴の位置は特定されているために、棚板の高さの微調節を行えないという問題があった。
【０００４】
本発明は、前記課題を解決するためになされたものであって、その目的は、棚板の高さを容易に調節することができる上に棚板の高さの微調節を行える棚体を提供することにある。
【課題を解決するための手段】
【０００５】
前記の目的を達成するための本発明に係る棚体は、高さ方向に延びる複数の支柱と、これら支柱に取り付けられる棚板とを有する棚体であって、前記各支柱が、それぞれ高さ方向に２つに分割された上部支柱と下部支柱とからなり、これら上部支柱と下部支柱とを、下部支柱に対して上部支柱の回転により上部支柱が上下方向に移動可能に係合する連結機構で連結し、前記上部支柱に、当該上部支柱が回転可能に前記棚板を取り付け、前記複数の上部支柱のうちの１つの上部支柱の回転により残りの上部支柱が連動して回転し、前記複数の上部支柱の全部が上方又は下方の同一方向に移動する連動機構を設けたことを特徴とする。
【０００６】
この発明によれば、各支柱がそれぞれ上部支柱と下部支柱とからなり、これら上部支柱と下部支柱とが連結機構によりそれぞれ連結され、複数の上部支柱のうちの１つの上部支柱の回転により残りの上部支柱が連動して回転し、複数の上部支柱の全部が上方又は下方の同一方向に移動する連動機構を設けたことで、１つの上部支柱を回転すると、連動機構により残りの上部支柱が連動して回転して、複数の上部支柱の全部が上方又は下方の同一方向に移動し、上部支柱に取り付けられている棚板が上方又は下方に移動する。従って、１つの上部支柱の操作により棚板を移動させることができるので、棚板の高さを容易に調節することができると共に棚板の高さの微調節を行うことができる。
【０００７】
本発明に係る棚体において、前記連動機構が、前記各上部支柱にそれぞれ設けられたチェーンスプロケットと、これらチェーンスプロケットに掛け渡されたチェーンとで構成されていることが好ましい。また、本発明に係る棚体において、前記複数の上部支柱のうちの１つの上部支柱を正逆方向に自動的に回転させる回転駆動手段を設けることが好ましい。本発明に係る棚体において、前記支柱が４本設けられ、前記棚板が矩形状に形成され、この棚板の四隅に前記支柱がそれぞれ取り付けられていることが好ましい。
【発明の効果】
【０００８】
以上説明したように本発明に係る棚体によれば、各支柱がそれぞれ上部支柱と下部支柱とからなり、これら上部支柱と下部支柱とが連結機構によりそれぞれ連結され、複数の上部支柱のうちの１つの上部支柱の回転により残りの上部支柱が連動して回転し、複数の上部支柱の全部が上方又は下方の同一方向に移動する連動機構を設けたので、１つの上部支柱の操作により棚板を移動させることができ、棚板の高さを容易に調節することができると共に棚板の高さの微調節を行うことができる。
【発明を実施するための最良の形態】
【０００９】
以下、本発明に係る棚体を添付図面に基づいて詳述する。
【００１０】
図１は本発明に係る第１の棚体の一例を示す図である。図２及び図３は本発明に係る連動機構の一例を示す図である。本発明に係る棚体は、図１に示すように、高さ方向に延びる複数の支柱２と、これら支柱２に取り付けられる棚板３、４とを有するものである。本発明に係る棚体１は、ラックや収納棚等で、物を棚板３、４上に載置して収納するものであり、特に限定されるものではない。支柱２の数は、特に限定されず、例えば、４本であることが好ましい。本発明の実施の形態では支柱２を４本設けた場合について説明するが、これに限定されるものではない。
【００１１】
棚板３、４は、物を載置することができれば、特に限定されない。棚板３、４の数（段数）は、特に限定されず、例えば、３段であることが好ましい。本発明の実施の形態では棚板３、４を３段に設けた場合について説明するが、これに限定されるものではない。棚板３、４は、３段とも同じものであってもよいし、異なるものであってよく、例えば、１段目（上段）の棚板（第１棚板３ということがある。）と、２、３段目の棚板（第２棚板４ということがある。）とが異なって形成されている。
【００１２】
第１棚板３は、物が載置され、矩形平板状に形成された棚部３ａと、この棚部３ａと略同じ矩形平板状に形成され、棚部３ａの下面に支持部材３ｆを介して所定の間隔をあけて取り付けられる支柱取付部３ｂと、この支柱取付部３ｂの４辺の端部からそれぞれ下方に延び、支柱取付部３ｂの下方を覆い隠すように設けられた板状の枠体３ｃと、支柱取付部３ｂの四隅近傍に設けられ、支柱２が挿入されて貫通する貫通孔３ｄとからなる。第２棚板４は、例えば、物が載置され、矩形平板状に形成された棚部４ａと、この棚部４ａの４辺の端部に設けられた枠部材４ｂと、棚部４ａの四隅に設けられ、支柱２が挿入されて嵌合され支柱２の所定の箇所に固定される円筒状の固定部４ｃとからなる。
【００１３】
本発明に係る棚体１は、図１〜図３に示すように、各支柱２が、それぞれ高さ方向に２つに分割された上部支柱２１と下部支柱２２とからなり、これら上部支柱２１と下部支柱２２とを、下部支柱２２に対して上部支柱２１の回転により上部支柱２１が上下方向に移動可能に係合する連結機構５で連結し、上部支柱２１に、上部支柱２１が回転可能に棚板３を取り付け、４つの上部支柱２１のうちの１つの上部支柱２１の回転により残りの上部支柱２１が連動して回転し、複数の上部支柱２１の全部が上方又は下方の同一方向に移動する連動機構６を設けたことに特徴がある。
【００１４】
支柱２は、高さ方向に２つに分割された上部支柱２１と下部支柱２２とからなり、これら上部支柱２１と下部支柱２２とが連結機構５によりそれぞれ連結されている。下部支柱２２は、ラック等に支柱２として用いられているもの等であり、例えば、パイプ状のものが用いられる。下部支柱２２の下部近傍と中央部より若干上部よりの２箇所に、第２棚板４がそれぞれ取り付けられている。また、下部支柱２２の上部内には、連結機構５を構成する係合凹部５１が固定されている。係合凹部５１は、円筒状で形成され、この内周面にネジ溝５１ａが設けられているものである。
【００１５】
上部支柱２１は、特に限定されないが、例えば、噛合部２１ａとヘッド部２１ｂとからなボルト状に形成されている。すなわち、上部支柱２１は、例えば、ボルト等である。このように上部支柱２１をボルトで形成した場合には、上部支柱２１自身が連結機構５を構成する構成要素となる。連結機構５は、下部支柱２２に対して上部支柱２１の回転により上部支柱２１が上下方向に移動可能に係合するものであり、上部支柱２１と下部支柱２２に固定された係合凹部５１とからなる。
【００１６】
上部支柱２１のヘッド部２１ｂは、六角柱状であって第１棚板３の支柱取付部３ｂの貫通孔３ｄを貫通できない大きさで形成されていることが好ましい。このヘッド部２１ｂが棚部３ａと支柱取付部３ｂとの間に位置されて、上部支柱２１を下部支柱２２に対して回転させるための操作部となっている。
【００１７】
上部支柱２１の噛合部２１ａは、円柱状に形成され、この外表面（周面）に、係合凹部５１と噛合して係合するネジ溝２１ａａが設けられている。この噛合部２１ａの外径は、第１棚板３の貫通孔３ｄの径より小さな寸法、例えば、若干小さな寸法で形成されていることが好ましい。この上部支柱２１の噛合部２１ａの軸回りにワッシャー１１を介して支柱取付部３ｂの貫通孔３ｄが位置される。すなわち、ワッシャー１１を介して上部支柱２１の噛合部２１ａ支柱取付部３ｂの貫通孔３ｄに挿入して貫通させ、この貫通させた噛合部２１ａにワッシャー１２及び回転許容部材９を介して第１ナット１３を噛合させて取り付けられる。
【００１８】
回転許容部材９は、上部支柱２１のヘッド部２１ｂと第１ナット１３とで第１棚板３の支柱取付部３ｂに上部支柱２１を締め付けて取り付けたとき、第１棚板３（支柱取付部３ｂ）に対して上部支柱２１が確実に回転可能に取り付けるためのものである。回転許容部材９としては、第１棚板３に対して上部支柱２１を回転可能に取り付けることができれば、特に限定されず、例えば、対向する平板リング状の一対のリング片９ａと、これらリング片９ａ間に設けられ、リング片９ａをその軸を中心として回転可能に支持する多数のベアリング９ｂと、これらベアリング９ｂの外周に設けられ、ベアリング９ｂがリング片９ａ間から逸脱しないように支持するベアリング支持部９ｃとからなる。これにより、第１棚板３の４つの貫通孔３ｄに上部支柱２１をそれぞれ取り付け、これら４つの上部支柱２１をそれぞれ下部支柱２２の係合凹部５１に噛合させて係合させることにより、下部支柱２２に対して上部支柱２１の回転により上部支柱２１が上下方向に移動するので、第１棚板３の高さを調節することができると共に第１棚板３の高さの微調節を行うことができる。
【００１９】
連動機構６は、４つ上部支柱２１のうちの１つの上部支柱２１を回転させることにより、残りの３つの上部支柱２１が連動して回転し、４つの全部の上部支柱２１が上方又は下方の同一方向に移動するものである。連動機構６としては、特に限定されず、例えば、４つの上部支柱２１にそれぞれ設けられたチェーンスプロケット７と、これらチェーンスプロケット７に掛け渡されたチェーン８とで構成されていることが好ましい。
【００２０】
チェーンスプロケット７は、円筒状に形成されている。このチェーンスプロケット７の内周面には、上部支柱２１の噛合部２１ａと噛合するネジ溝が設けられていることが好ましい。また、チェーンスプロケット７の内周面にネジ溝が設けられていなくてもよく、この場合、チェーンスプロケット７の内径は、上部支柱２１の噛合部２１ａの径より若干大きな寸法で形成されていることが好ましい。チェーンスプロケット７の一端部には、放射状に突出する多数の係合歯７ａが設けられており、このチェーンスプロケット７が、上部支柱２１の噛合部２１ａに係合歯７ａとは反対側の端部から噛合部２１ａの軸回りに装着されるように取り付けられている。上部支柱２１の噛合部２１ａには、チェーンスプロケット７を装着した後にワッシャー１４を介して第２ナット１５を噛合させて、第１ナット１３と第２ナット１５とでチェーンスプロケット７が締め付け固定されている。
【００２１】
チェーン８は、４つの上部支柱２１のチェーンスプロケット７に掛け渡されるものである。すなわち、チェーン８は、４つのチェーンスプロケット７の係合歯７ａにそれぞれ係合するもので、４つの上部支柱２１のうちの１つの上部支柱２１を回転させると、その回転に伴ってチェーン８を介して残りの３つの上部支柱２１が連動して回転させるものである。チェーン８としては、チェーンスプロケット７の係合歯７ａに係合できれば特に限定されるものではない。
【００２２】
また、本発明に係る棚体１は、第１棚板３の棚部３ａと支柱取付部３ｂとの間に位置されている操作部であるヘッド部２１ｂを当該ヘッド部２１ｂを回転し得る工具（回転冶具（図示せず）ということがある。）により手動により回転させることにより、下部支柱２２に対して上部支柱２１の回転により上部支柱２１が上下方向に移動して第１棚板３の高さを調節することができるが、図４及び図５に示すように、４つの上部支柱２１のうちの任意の１つの上部支柱２１を自動的に回転させる回転駆動手段３０を設けるようにしても良い。
【００２３】
回転駆動手段３０は、例えば、正逆回転可能な駆動モーター３１と、チェーンスプロケット７の外周に設けられたウォームギア３２と、このウォームギア３２と噛合し、駆動モーター３１の回転軸３１ａに取り付けられたウォームホイール３３とで構成されていることが好ましい。駆動モーター３１は、正逆回転可能なものであれば特に限定されず、支柱取付部３ｂのモーター取付部３ｇに取り付けられている。この駆動モーター３１は、任意の１つの枠体３ｃに設けられたスイッチ３５により、駆動されるようになっている。スイッチ３５は、例えば、中央位置はオフ状態で、一方の端部位置が駆動モーター３１を一方の方向（正方向）に回転させる第１オン状態で、他方の端部位置が駆動モーター３１を他方の方向（逆方向）に回転させる第２オン状態である。これにより、スイッチ３５のオンオフにより駆動モーター３１が駆動されてウォームホイール３３及びウォームギア３２を介してチェーンスプロケット７を回転駆動し、下部支柱２２に対して上部支柱２１が上下方向に移動して第１棚板３の高さが自動的に調節されるように構成されている。
【００２４】
次に本発明に係る棚体の作用を説明する。まず、図１〜図５に示すように、ワッシャー１１を介してヘッド部２１ｂが第１棚板３の棚部３ａと支柱取付部３ｂとの間に位置されるように上部支柱２１の噛合部２１ａを支柱取付部３ｂの貫通孔３ｄに挿入して貫通させ、この貫通させた噛合部２１ａにワッシャー１２及び回転許容部材９を介して第１ナット１３を噛合させて取り付ける。この上部支柱２１の噛合部２１ａにチェーンスプロケット７を取り付けた後に、ワッシャー１４を介して第２ナット１５を噛合させて取り付けることで、チェーンスプロケット７を上部支柱２１に固定させる。このとき、４つの上部支柱２１のチェーンスプロケット７にチェーン８を掛け渡す。このように、チェーンスプロケット７等を有する上部支柱２１を取り付けた第１棚板３の４つの上部支柱２１の噛合部２１ａを下部支柱２２の係合凹部５１に係合させることで、本発明に係る棚体１が組みつけられる。また、回転駆動手段３０を備えている場合には、駆動モーター３１の回転軸３１ａに取り付けられたウォームホイール３３がチェーンスプロケット７の外周に設けられたウォームギア３２と噛合するように駆動モーター３１をモーター取付部３ｇに取り付けることで、本発明に係る棚体１が組みつけられる。
【００２５】
第１棚板３の棚部３ａと支柱取付部３ｂとの間に位置されている４つの上部支柱２１の操作部であるヘッド部２１ｂのうちの１つのヘッド部２１ｂを回転冶具を用いて一方の方向に回転させる。または、スイッチ３５を作動して駆動モーター３１を駆動させ、ウォームホイール３３及びウォームギア３２を介してチェーンスプロケット７（上部支柱２１）を一方の方向に回転させる。すると、チェーン８を介して残りの３つの上部支柱２１が連動してそれぞれの下部支柱２２に対して回転する。このように、下部支柱２２に対して上部支柱２１が回転すると、上部支柱２１の噛合部と下部支柱２２の係合凹部５１との噛合によって４つの上部支柱２１の全部が下部支柱２２に対して上方又は下方の同一方向に移動し、上部支柱２１に取り付けられている第１棚板３が上方又は下方に平行移動する。その結果、１つの上部支柱２１を回転させるだけの１つの操作で第１棚板３の高さを調節することができる。
【００２６】
また、上部支柱２１が回転すると、下部支柱２２に対して上部支柱２１は高さ方向の上方又は下方に回転に伴って徐々に移動するために、第１棚板３の高さの微調節を行える。また、第１棚板３の高さを調節した後に、第１棚板３に荷重が作用しても、上部支柱２１には下方に作用する力しか作用しないと共に、４つの上部支柱２１はチェーン８で連結されているので、上部支柱２１が回転することがなく、第１棚板３の高さを所望の位置に保持することができる。
【００２７】
したがって、本発明に係る棚体１、１０は、４つの上部支柱２１のうちの１つの上部支柱２１を手動又は自動で回転させることで、４つの上部支柱２１の全部が連動して回転し、第１棚板３を上方又は下方に移動させることができるので、棚板３の高さを容易に調節することができると共に、棚板３の高さの微調節を行うことができる。その結果、使用する者の身長や使用目的等に応じて棚板３の高さを容易にかつ微調節可能で行うことができる。
【００２８】
また、上部支柱２１を回転させる操作部であるヘッド部２１ｂが、上段（天板）である第１棚板３の上面から突出しているために、上部支柱２１を回転させ易いので、操作性が良好である。また、第１棚板３の上面の四隅近傍から突出する４つの上部支柱２１のヘッド部２１ｂのどれか１つのヘッド部２１ｂを回転させるだけで、４つの上部支柱２１を連動させて回転させ、第１棚板３の高さを調節することができるので、より操作性が良好である。
【００２９】
なお、本発明の形態では上段の第１棚板３の高さを調節し得る場合について説明したが、中段の棚板又は下段の棚板の高さを個別に調節し得るようにしてもよい。また、上段及び中段の２段の棚板の高さや３段全ての棚板の高さを調節し得るようにしてもよい。
【００３０】
すなわち、上段及び中段の２段の棚板の高さを調節する場合には、例えば、図６(ａ)に示すように、下部支柱２３の下部近傍には、下段である第２棚板４が取り付けられ、その上部内に係合凹部５１が設けられている。中段には第１棚板２９が配置され、この第１棚板２９は、前記の第１棚板３の棚部３ａと支柱取付部３ｂとが一体的に形成されたものである。この第１棚板２９の四隅近傍の貫通孔には、前記の上部支柱２１と略同じ第２上部支柱２５が回転可能にそれぞれ取り付けられている。第２上部支柱２５の上端部には、第１上部支柱２４の下端部が回転可能に取り付けられている。第１上部支柱２４の上部には上段の第１棚板３が取り付けられている。第２上部支柱２５の噛合部であって中段の第１棚板２９の下面近傍には、前述と同様にチェーンスプロケット７が取り付けられ、かつ、４つのチェーンスプロケット７にはチェーン８が掛け渡されている。このように構成すると、４つの第２上部支柱２５のうちの１つの第２上部支柱２５を、例えば、回転冶具や駆動モーターを用いて一方の方向に回転させると、チェーン８を介して残りの３つの第２上部支柱２５が連動して回転し、上段及び中段の２段の棚板４、２９が連動して上方又は下方に移動する。
【００３１】
また、３段全ての棚板２９、４の高さを調節する場合には、例えば、図６(ｂ)に示すように、下部支柱２６は、棚板が取り付けられておらず、その上部内に係合凹部５１が設けられている。下段には第１棚板２９が配置され、この第１棚板２９の四隅近傍の貫通孔には、前記の上部支柱２１と略同じ第２上部支柱２８が回転可能にそれぞれ取り付けられている。第２上部支柱２８の上端部には、第１上部支柱２７の下端部が回転可能に取り付けられている。第１上部支柱２７の略中央部及び上部には、中段と上段となる第２棚板４がそれぞれ取り付けられている。第２上部支柱２８の噛合部であって下段の第１棚板２９の下面近傍には、前述と同様にチェーンスプロケット７が取り付けられ、かつ、４つのチェーンスプロケット７が取り付けられ、かつ、４つのチェーンスプロケット７にはチェーン８が掛け渡されている。このように構成すると、４つの第２上部支柱２８のうちの１つの第２上部支柱２８を例えば、回転冶具や駆動モーターを用いて一方の方向に回転させると、チェーン８を介して残りの３つの第２上部支柱２８が連動して回転し、上段、中段及び下段の３段全ての棚板２９、４が連動して上方又は下方に移動する。
【産業上の利用可能性】
【００３２】
以上説明したように本発明に係る棚体は、各支柱がそれぞれ上部支柱と下部支柱とからなり、これら上部支柱と下部支柱とが連結機構によりそれぞれ連結され、複数の上部支柱のうちの１つの上部支柱の回転により残りの上部支柱が連動して回転し、複数の上部支柱の全部が上方又は下方の同一方向に移動する連動機構を設けたので、１つの上部支柱の操作により棚板を移動させることができ、棚板の高さを容易に調節することができると共に棚板の高さの微調節を行うことができ、汎用性に優れているものである。
【図面の簡単な説明】
【００３３】
【図１】本発明に係る第１の棚体の一例を示す斜視図である。
【図２】本発明に係る連動機構の一例を示す斜視図である。
【図３】本発明に係る連動機構の要部の一例を示す図で、（ａ）は正面図、（ｂ）は断面図、（ｃ）は正面図である。
【図４】本発明に係る第２の棚体の一例を示す斜視図である。
【図５】本発明に係る第２の棚体の連動機構の要部の一例を示す断面図である。
【図６】本発明に係る第１の棚体の他の例を示す斜視図である。
【符号の説明】
【００３４】
１  棚体
２  支柱
３、４  棚板
５  連結機構
６  連動機構
７  チェーンスプロケット
８  チェーン
２１  上部支柱
２２  下部支柱
【図１】
2007068838.tif 000003
【図２】
2007068838.tif 000004
【図３】
2007068838.tif 000005
【図４】
2007068838.tif 000006
【図５】
2007068838.tif 000007
【図６】
2007068838.tif 000008